(57)【要約】【課題】携帯電子機器が置き台に置かれた時に、表示部の表示内容を使用者が適切に読み取ることにある。【解決手段】携帯充電システム１００は、光の発光に伴い情報を表示するサブディスプレイ２３を有する携帯電話機１と、携帯電話機１が保持される保持部７２を有し、サブディスプレイ２３が保持部７２に対向するように携帯電話機１が置かれる充電台７０と、を備える。そして、充電台７０は、保持部７２に形成され、置かれた携帯電話機１のサブディスプレイ２３に対向する第１開口部７５と、第１開口部７５を介してサブディスプレイ２３に対向するように充電台７０の内部に設けられ、サブディスプレイ２３からの前記光を所定方向に反射させるための反射板７７と、反射板７７による反射経路上に形成され、外部に臨む第２開口部７６と、を有する。【選択図】図４
2010109543.tif 000002
【特許請求の範囲】
【請求項１】
光の発光に伴い情報を表示する表示部を有する携帯電子機器と、
前記携帯電子機器が保持される保持部を有し、前記表示部が前記保持部に対向するように前記携帯電子機器が置かれる置き台と、
を備える携帯電子機器システムであって、
前記置き台は、
前記保持部に形成され、置かれた前記携帯電子機器の前記表示部に対向する第１開口部と、
前記第１開口部を介して前記表示部に対向するように前記置き台の内部に設けられ、前記表示部からの前記光を所定方向に反射させるための反射部材と、
前記反射部材による反射経路上に形成され、外部に臨む第２開口部と、
を有することを特徴とする携帯電子機器システム。
【請求項２】
請求項１に記載の携帯電子機器システムであって、
前記反射部材は、前記表示部の表示内容が投影される反射鏡であり、
前記携帯電子機器が前記置き台に置かれていない時の前記表示部の表示状態に対して、前記携帯電子機器が前記置き台に置かれた時には反転状態にて表示させる表示制御部を備えることを特徴とする携帯電子機器システム。
【請求項３】
請求項２に記載の携帯電子機器システムであって、
前記携帯電子機器が前記置き台に置かれた時に、前記表示制御部によって反転状態にて前記表示部に表示され、前記反射部材に投影された表示内容の投影状態が、
前記携帯電子機器が前記置き台に置かれていない時の前記表示部の表示状態と、同じであることを特徴とする携帯電子機器システム。
【請求項４】
請求項１〜請求項３のいずれか１項に記載の携帯電子機器システムであって、
前記表示部の輝度の大きさを変更する輝度制御部を備え、
前記輝度制御部は、前記携帯電子機器が前記置き台に置かれた時の前記表示部の輝度の大きさを、前記携帯電子機器が前記置き台に置かれていない時の前記表示部の輝度の大きさよりも、大きくすることを特徴とする携帯電子機器システム。
【請求項５】
請求項１〜請求項４のいずれか１項に記載の携帯電子機器システムであって、
前記表示部の隣には、照明部材が設けられ、
前記照明部材の点灯及び消灯を制御する照明制御部を備え、
前記照明制御部は、前記携帯電子機器が前記置き台に置かれた時に、前記照明部材を点灯させることを特徴とする携帯電子機器システム。
【請求項６】
光の発光に伴い情報を表示する表示部が設けられた携帯電子機器が保持される保持部を有し、前記表示部が前記保持部に対向するように前記携帯電子機器が置かれる置き台であって、
前記保持部に形成され、置かれた前記携帯電子機器の前記表示部に対向する第１開口部と、
前記第１開口部を介して前記表示部に対向するように前記置き台の内部に設けられ、前記表示部からの前記光を所定方向に反射させるための反射部材と、
前記反射部材による反射経路上に形成され、外部に臨む第２開口部と、
を備えることを特徴とする置き台。
【発明の詳細な説明】
【技術分野】
【０００１】
本発明は、携帯電子機器システム、及び置き台に関する。
【背景技術】
【０００２】
携帯電子機器システムは、例えば、光の発光に伴い情報を表示する表示部が設けられた携帯電子機器と、前記携帯電子機器が置かれる置き台と、を備える（特許文献１参照）。携帯電子機器として、例えば無線通信可能な携帯電話がある。また、置き台として、例えば充電用置き台があり、携帯電子機器が置き台に置かれて携帯電子機器への充電が行われる。なお、置き台は、携帯電子機器を保持する保持部を有する。
【特許文献１】特開２００３−３１９０４８
【発明の開示】
【発明が解決しようとする課題】
【０００３】
ところで、携帯電子機器の薄型化やデザインの観点等から、携帯電子機器における表示部の配置が制限されている。このため、携帯電子機器の中には、置き台に置かれた時に表示部が保持部に対向するように、表示部が配置されたものがある。かかる場合には、携帯電子機器が置き台に置かれた時に、保持部が表示部を隠すことにより使用者が表示部を視認できないので、表示部の表示内容を使用者が読み取ることができない。
【０００４】
本発明は、かかる課題に鑑みてなされたものであり、その目的とするところは、携帯電子機器が置き台に置かれた時に、表示部の表示内容を使用者が適切に読み取ることにある。
【課題を解決するための手段】
【０００５】
本発明に係る携帯電子機器システムは、光の発光に伴い情報を表示する表示部を有する携帯電子機器と、前記携帯電子機器が保持される保持部を有し、前記表示部が前記保持部に対向するように前記携帯電子機器が置かれる置き台と、を備える。そして、前記置き台は、前記保持部に形成され、置かれた前記携帯電子機器の前記表示部に対向する第１開口部と、前記第１開口部を介して前記表示部に対向するように前記置き台の内部に設けられ、前記表示部からの前記光を所定方向に反射させるための反射部材と、前記反射部材による反射経路上に形成され、外部に臨む第２開口部と、を有することを特徴とする。
【０００６】
さらに好適には、前記反射部材は、前記表示部の表示内容が投影される反射鏡であり、前記携帯電子機器が前記置き台に置かれていない時の前記表示部の表示状態に対して、前記携帯電子機器が前記置き台に置かれた時には反転状態にて表示させる表示制御部を備えることが望ましい。
【０００７】
さらに好適には、前記携帯電子機器が前記置き台に置かれた時に、前記表示制御部によって反転状態にて前記表示部に表示され、前記反射部材に投影された表示内容の投影状態が、前記携帯電子機器が前記置き台に置かれていない時の前記表示部の表示状態と、同じであることが望ましい。
【０００８】
さらに好適には、前記表示部の輝度の大きさを変更する輝度制御部を備え、前記輝度制御部は、前記携帯電子機器が前記置き台に置かれた時の前記表示部の輝度の大きさを、前記携帯電子機器が前記置き台に置かれていない時の前記表示部の輝度の大きさよりも、大きくすることが望ましい。
【０００９】
さらに好適には、前記表示部の隣には、照明部材が設けられ、前記照明部材の点灯及び消灯を制御する照明制御部を備え、前記照明制御部は、前記携帯電子機器が前記置き台に置かれた時に、前記照明部材を点灯させることが望ましい。
【００１０】
また、情報を表示する表示部が設けられた携帯電子機器が保持される保持部を有し、前記表示部が前記保持部に対向するように前記携帯電子機器が置かれる置き台は、前記保持部に形成され、置かれた前記携帯電子機器の前記表示部に対向する第１開口部と、前記第１開口部よりも前記置き台の内部側に設けられ、前記表示部の表示内容を所定方向に反射させるための反射部材と、前記反射部材による反射経路上に形成され、外部に臨む第２開口部と、を備えることを特徴とする。
【発明の効果】
【００１１】
本発明によれば、携帯電子機器が置き台に置かれた時に、表示部の表示内容を使用者が適切に読み取ることが可能となる。
【発明を実施するための最良の形態】
【００１２】
以下、本発明を実施するための最良の形態について、図面を用いて説明する。
＝＝携帯電子機器システムの構成＝＝
図１は、本実施形態の携帯電子機器システムの一例である携帯充電システム１００の全体構成ブロック図である。
【００１３】
携帯充電システム１００は、携帯電子機器の一例である携帯電話機１と、置き台の一例である充電台７０を有する。以下においては、携帯電話機１の構成と、充電台７０の構成について、説明する。
【００１４】
＜＜携帯電話機１の構成＞＞
図２は、携帯電話機１を示した斜視図である。図３は、携帯電話機１の背面側を示した図である。携帯電話機１は、操作部側筐体２と、表示部側筐体３と、連結部４と、検出器群１８と、制御部５０等を備えている。
【００１５】
操作部側筐体２は、フロントケース２ａ側に、操作部１１と、マイクロフォン１２とを有する。操作部１１は、各々所定の機能が割り当てられた複数の操作キーから構成されている。例えば、複数の操作キーは、操作部側筐体２と表示部側筐体３の開閉状態や各種モード、或いは起動されているアプリケーション等の種類に応じて所定の機能が割り当てられている。そして、携帯電話機１の使用者が各キーを押圧することにより、各キーに割り当てられている機能に応じた動作が実行される。マイクロフォン１２は、使用者が通話時に発した音声が入力されるマイクの機能を有する。
【００１６】
なお、操作部筐体２の側面には、外部機器（例えば、ホスト装置）と通信を行うためのインターフェースと、所定の機能が割り当てられているサイドキーと、外部メモリの挿入及び取り出しが行われるインターフェースとが、設けられている。
【００１７】
表示部側筐体３は、メインディスプレイ２１とスピーカ２２とを有する。メインディスプレイ２１は、各種情報を表示するためのものである。このメインディスプレイ２１は、液晶パネルと、この液晶パネルを駆動する駆動回路と、液晶パネルの背面側から光を照射するバックライト等の光源部とから構成されている。スピーカ２２は、通話時の相手側の音声を出力するレシーバの機能を有する。
【００１８】
なお、操作部側筐体２の背面側（すなわち、リアケース２ｂ側）には、図３に示すように、表示部の一例であるサブディスプレイ２３と、照明部材の一例であるライト２５とが設けられている。
【００１９】
サブディスプレイ２３は、メインディスプレイ２１と同様に、光の発光に伴い情報を表示する。サブディスプレイ２３は、使用者に報知するための各種の情報を表示する。例えば、サブディスプレイ２３が時刻に関する情報を表示することにより、充電台７０に置かれた携帯電話機１を時計の代わりに使用できる。また、サブディスプレイ２３も、液晶パネルや光源部等から構成されている。ただし、サブディスプレイ２３は、有機ＥＬ等で構成されていることとしても良い。
【００２０】
ライト２５は、サブディスプレイ２３の隣に設けられている。このライト２５は、点灯することにより、サブディスプレイ２３及びその周辺部を明るくする。なお、部品点数の削減の観点から、ライト２５は、カメラ用のライトとして兼用されても良い。
【００２１】
連結部４は、ヒンジ機構を有し、操作部側筐体２と表示部側筐体３を開閉可能に連結している。これにより、使用者が、ヒンジ機構を介して連結された操作部側筐体２と表示部側筐体３とを、相対的に動かすことが可能となっている。つまり、使用者は、操作部側筐体２と表示部側筐体３とが開いた状態（開状態）と、操作部側筐体２と表示部側筐体３とが折り畳まれた状態（閉状態）とにすることができる。
【００２２】
検出器群１８は、携帯電話機１の状態を検出するためのものである。この検出器群１８は、例えば、携帯電話機１が充電台７０に置かれたことを検出するためのセンサーを有する。
【００２３】
制御部５０は、携帯電話機１の制御を行うためのものであり、ＣＰＵ５１と、メモリ５２と、通信処理部５３と、音響処理部５４と、表示処理部５５と、電源回路５７とを有する。
【００２４】
ＣＰＵ５１は、携帯電話機１全体の制御を行うための演算処理装置である。メモリ５２は、ＣＰＵ５１のプログラムを格納する領域や作業領域等を確保するためのものである。そして、ＣＰＵ５１及びメモリ５２は、操作部１１等からの信号に基づいて所定の演算を行い、各処理部や電源回路５７の制御を実行する。
【００２５】
通信処理部５３は、アンテナ１４を介して遠距離無線通信を行うために、音響データや画像データ等の各種データを変調・復調する。音響処理部５４は、ＣＰＵ５１からの音響データを電気信号に変換して通話用のスピーカ２２に出力する。また、音響処理部５４は、マイクロフォン１２からの電気信号を音響データに変換してＣＰＵ５１に出力する。表示処理部５５は、ＣＰＵ５１からの画像データを画像信号に変換して、メインディスプレイ２１又はサブディスプレイ２３へ出力する。
【００２６】
電源回路５７は、操作部側筐体２に設けられた充電端子２９が充電台７０の給電端子７３（後述）に接触した状態で（図４参照）、充電台７０から給電された電力を、バッテリ５８に充電する。
【００２７】
＜＜充電台７０の構成＞＞
図４は、携帯電話機１が置かれた充電台７０を示す断面図である。図５は、携帯電話機１が置かれた充電台７０を示す上面図である。図６（Ａ）と図６（Ｂ）は、サブディスプレイ２３の表示状態を示す図である。具体的には、図６（Ａ）は、携帯電話機１が充電台７０に置かれた時に、図３に示す表示（「１３：５４」）を左右上下に反転させた状態を示す図である。図６（Ｂ）は、携帯電話機１が充電台７０に置かれた時に、図３に示す表示（「１３：５４」）を左右に反転させた状態を示す図である。
【００２８】
充電台７０は、図４に示すように、ケース７１と、保持部７２と、給電端子７３と、第１開口部７５と、第２開口部７６と、反射部材の一例である反射板７７等を有する。
【００２９】
ケース７１は、充電台７０の筐体を構成する。保持部７２は、ケース７１の上面に形成されており、置かれた携帯電話機１を保持する。具体的には、保持部７２は、操作部側筐体２と表示部側筐体３のうちの対向する操作部側筐体２を保持する。給電端子７３は、携帯電話機１のバッテリ５８を充電する際に用いられる端子である。携帯電話機１が保持部７２に保持されたときに、給電端子７３が充電端子２９に接触した状態で、バッテリ５８が充電される。
【００３０】
第１開口部７５は、携帯電話機１が充電台７０に置かれた時にサブディスプレイ２３が対向する保持部７２に形成されている。具体的には、第１開口部７５は、保持部７２の、充電台７０の長手方向一端側に形成されている。この第１開口部７５は、携帯電話機１が充電台７０に置かれていない時には、外部に臨んでいる。一方で、携帯電話機１が充電台７０に置かれた時には、第１開口部７５はサブディスプレイ２３に対向している。具体的には、第１開口部７５は矩形状の貫通穴７５ａを有し、この貫通穴７５ａが、サブディスプレイ２３に対向している。また、貫通穴７５ａの大きさは、矩形状のサブディスプレイ２３よりも大きい。
【００３１】
第２開口部７６は、ケース７１において保持部７２よりも長手方向他端側に形成されている。この第２開口部７６は、携帯電話機１が充電台７０に置かれている時にも、外部に臨んでいる。また、第２開口部７６は、充電台７０の短手方向において、第１開口部７５と同じ位置に位置している。そして、開口部７６は、図４に示すように反射板７７の反射経路上に形成されている。また、第２開口部７６は、矩形状の貫通穴７６ａを有しており、この貫通穴７６ａの大きさは、貫通穴７５ａとほぼ同じ大きさである。
【００３２】
反射板７７は、充電台７０の内部（具体的には、保持部７２の下方）に設けられ、サブディスプレイ２３からの光を所定方向に反射させる。本実施形態における反射板７７は、長手方向一端側に位置する第１反射板７７ａと、長手方向他端側に位置する第２反射板７７ｂから構成されている。
【００３３】
第１反射板７７ａは、第１開口部７５の下方に設けられている。このため、第１反射板７７ａは、第１開口部７５を介してサブディスプレイ２３に対向する。また、第１反射板７７ａは、例えば鏡から構成された反射鏡である。これにより、サブディスプレイ２３の表示内容が、第１反射板７７ａに投影される（すなわち、鏡像として映し出される）。また、第１反射板７７ａは、貫通穴７５ａに対して斜めに設けられている。このため、サブディスプレイ２３が発する光は、第１反射板７７ａによって所定方向に反射される（具体的には、長手方向他端側に位置する第２反射板７７ｂに向かって反射される）。
【００３４】
第２反射板７７ｂは、第２開口部７６の下方において設けられており、外部から見える構成となっている。また、第２反射板７７ｂは、充電台７０の短手方向において、第１反射板７７と同じ位置になっている。そして、第２反射板７７ｂが第１反射板７７ａに対向しているため、第１反射板７７ａに映し出された鏡像が第２反射板７７ｂに更に映し出される。また、第２反射板７７ｂも、第１反射板７７ａからの光を更に反射させる。ここで、第２反射板７７ｂは、反射させた光が第２開口部７６を通過するように、貫通穴７６ｂに対して傾いて設けられている。
【００３５】
上記の構成によって、サブディスプレイ２３からの光が、第１開光部７５を通過した後に、第１反射板７７ａ及び第２反射板７７ｂによって反射されて、第２開口部７６を通過する。これにより、第２反射板７７ｂに映し出された鏡像（サブディスプレイ２３の表示内容）を、使用者が第２開口部７６を介して視認できる。この結果、サブディスプレイ２３が保持部７２に対向した状態で携帯電話機１が充電台７０に置かれたときでも、使用者はサブディスプレイ２３の表示内容を読み取ることができる。
【００３６】
＜＜制御部５０のサブディスプレイ２３等の制御について＞＞
上述した構成により、携帯電話機１が充電台７０に置かれたときでもサブディスプレイ２３の表示内容をより読み取り易いように、制御部５０は、主に充電台７０による携帯電話機１への充電中に、以下に説明する３つの制御を行う。
【００３７】
まず、制御部５０は、サブディスプレイ２３の輝度の大きさを変更する輝度制御部の機能を有する。具体的には、制御部５０は、携帯電話機１が充電台７０に置かれた時のサブディスプレイ２３の輝度の大きさを、携帯電話機１が充電台７０に置かれていない時のサブディスプレイ２３の輝度の大きさよりも、大きくする。これにより、サブディスプレイ２３が明るく表示されるので、反射板７７に映し出される鏡像が明るくなる。この結果、サブディスプレイ２３による表示内容を使用者が読み取りやすくなる。
【００３８】
２番目に、制御部５０は、ライト２５の点灯及び消費を制御する照明制御部の機能を有する。具体的には、制御部５０は、携帯電話機１が充電台７０に置かれた時に、ライト２５を点灯させる。これにより、サブディスプレイ２３の周辺部が明るくなるので、反射板７７に映し出される鏡像が明るく。この結果、サブディスプレイ２３による表示内容を使用者が読み取りやすくなる。
【００３９】
３番目に、制御部５０は、携帯電話機１が充電台７０に置かれていない時のサブディスプレイ２３の表示状態に対して、携帯電話機１が充電台７０に置かれた時には反転状態にて表示させる表示制御部の機能を有する。
【００４０】
具体的には、制御部５０は、図３に示す表示（「１３：５４」）を、図６（Ａ）や図６（Ｂ）に示すように反転表示させる。すなわち、本実施形態のように反射板７７ａ及び反射板７７ｂが設けられている場合には、図６（Ａ）に示すように上下左右に反転表示させる。この結果、反射板７７ｂに投影された鏡像が、図５にように映し出される。一方で、反射板７７ａのみが設けられている場合には、図６（Ｂ）に示すように左右に反転表示させる。この結果、反射板７７ａに投影された鏡像が、図５にように映し出される。
【００４１】
すなわち、携帯電話機１が充電台７０に置かれた時に、制御部５０によって反転状態にてサブディスプレイ２３に表示され、第２反射板７７ｂに投影された表示内容の投影状態が、携帯電話機１が充電台７０に置かれていない時のサブディスプレイ２３の表示状態と、同じとなる。これにより、サブディスプレイ２３の表示内容を反射板７７に正しく投影できるので、サブディスプレイ２３による表示内容を使用者が正しく読み取りやすくなる。
【００４２】
＜＜本実施形態に係る携帯充電システム１の有効性について＞＞
上述したように、本実施形態に係る充電台７０は、図４に示すように、（１）保持部７２に形成され、置かれた携帯電話機１のサブディスプレイ２３に対向する第１開口部７５と、（２）第１開口部７５を介してサブディスプレイ２３に対向するように充電台７０の内部に設けられ、サブディスプレイ２３からの前記光を所定方向に反射させるための反射板７７と、（３）反射板７７による反射経路上に形成され、外部に臨む第２開口部７６と、を有する。
【００４３】
かかる充電台７０によれば、サブディスプレイ２３が保持部７２に対向していても、サブディスプレイ２３の表示内容が第１開口部７５を介して反射板７７に投影される。また、反射板７７の反射経路上に第２開口部７６が形成されているため、サブディスプレイ２３からの光が、反射板７７に反射されて第２開口部７６を通過する。そして、反射板７７に投影された鏡像を、使用者が第２開口部７６を介して視認できるので、充電台７０に置かれた携帯電話機１のサブディスプレイ２３の表示内容を、使用者が適切に読み取ることが可能となる。
＝＝充電に伴う携帯電話機１の動作＝＝
図７は、充電に伴う携帯電話機１の動作を説明するためのフローチャートである。本フローチャートは、使用者が携帯電話機１を充電台７０に置くタイミングから始まる。
【００４４】
まず、制御部５０は、検出器群（センサー等）によって、携帯電話機１が充電台７０に置かれたか否かを判断する（ステップＳ２）。そして、携帯電話機１が充電台７０に置かれた場合には（ステップＳ２：Ｙｅｓ）、制御部５０は、サブディスプレイ２３に表示させる情報の反転処理を行う（ステップＳ４）。すなわち、携帯電話機１が充電台７０に置かれていない時に図６（Ａ）のように表示させる情報を、予め反転表示させる処理を行う。
【００４５】
その後、制御部５０は、サブディスプレイ２３に反転表示させる（ステップＳ６）。すなわち、制御部５０は、図６（Ｂ）に示すように左右上下に反転表示させる。そして、反転表示された情報（ここでは、時刻に関する情報）が、二つの反射板７７ａ、７７ｂによって左右上下に反転される。この結果、反射板７７ｂに投影された鏡像（図５）が、図６（Ａ）に示す表示状態と同じとなる。このように、反転表示させることにより、反射板７７ｂに投影される鏡像を制御できるので、使用者に読み取らせる多様な表示を実現できる。
【００４６】
次に、制御部５０は、サブディスプレイ２３の輝度を大きくする処理を行う（ステップＳ８）。これにより、サブディスプレイ２３が明るく表示されるので、反射板７７に映し出される鏡像が明るくなる。
【００４７】
次に、制御部５０は、サブディスプレイ２３の隣に設けられたライト２５を点灯させる（ステップＳ１０）。これにより、サブディスプレイ２３の周辺部が明るくなるので、反射板７７に映し出される鏡像が明るくなる。
【００４８】
そして、制御部５０は、携帯電話機１が充電台７０から抜かれたと判断するまで（ステップＳ１２：Ｎｏ）、換言すれば充電が完了するまで、上記の動作（ステップＳ６〜Ｓ１０）を継続して実行する。これにより、携帯電話機１が充電台７０にセットされている間（充電中）は、反射板７７に鏡像が表示されることとなるので、使用者がサブディスプレイ２３の表示内容を正しく読み取ることができる。
【００４９】
なお、上記においては、サブディスプレイ２３の輝度を大きくする動作（ステップＳ８）と、ライト２５を点灯させる動作（ステップＳ１０）を、両方実行させることとしたが、いずれか一方のみを実行しても良い。また、両方の動作を実行させないこととしても良い（例えば、使用者に、両方の動作を実行させるか否かを選択させるようにしても良い）。
【００５０】
さらに、サブディスプレイ２３に反転表示（ステップＳ６）した後に、輝度を大きくする動作と、かつ、ライト２５を点灯させる動作を実行したが、これら二つの動作を反転表示と同時に実行させることとしても良い。
＝＝その他の実施形態＝＝
一実施形態としての携帯充電システム等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５１】
また、上記実施の形態においては、携帯電子機器として携帯電話機１について説明しているが、これに限定されず、ＰＨＳ（登録商標：Ｐｅｒｓｏｎａｌ  Ｈａｎｄｙ  Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００５２】
また、上記実施の形態においては、携帯電話機１として折り畳み式の携帯電話機を例に挙げて説明しているが、これに限定されない。例えば、ストレート式等の折り畳まない携帯電話機であっても良い。つまり、表示部が置き台に対向する構成の携帯電話機であれば、如何なる形態であっても良い。
【００５３】
また、上記実施の形態においては、置き台として充電台７０を例に挙げて説明したが、これに限定されない。例えば、置き台が充電機能を有しないこととしても良い。
【００５４】
また、上記実施の形態においては、反射部材として二つの反射板（すなわち、第１反射板７７ａと第２反射板７７ｂ）を例に挙げて説明したが、これに限定されない。例えば、反射部材として一つの第１反射板７７ａのみを設けることとしても良い。かかる場合には、第１反射板７７ａの反射経路上に、第２開口部７６を形成すれば良い。
【００５５】
また、上記実施の形態においては、保持部７２に対向するサブディスプレイ２３の表示内容を読み取ることとしたが、これに限定されない。例えば、メインディスプレイ２１が保持部７２に対向する場合にも、第１開口部７５と第２開口部７６と反射板７７を設けることによって、使用者がメインディスプレイ２１の表示内容を正しく読み取ることができる。
【図面の簡単な説明】
【００５６】
【図１】携帯充電システム１００の全体構成ブロック図である。
【図２】携帯電話機１を示した斜視図である。
【図３】携帯電話機１の背面側を示した図である。
【図４】携帯電話機１が置かれた充電台７０を示す断面図である。
【図５】携帯電話機１が置かれた充電台７０を示す上面図である。
【図６】図６（Ａ）と図６（Ｂ）は、サブディスプレイ２３の表示状態を示す図である。
【図７】充電に伴う携帯電話機１の動作を説明するためのフローチャートである。
【符号の説明】
【００５７】
１  携帯電話機、
２  操作部側筐体、
３  表示部側筐体、
４  連結部、
１１  操作部、
１２  マイクロフォン、
１４  アンテナ、
１８  検出器群、
２１  メインディスプレイ、
２２  スピーカ、
２３  サブディスプレイ、
２４  カメラモジュール、
２５  ライト、
２９  充電端子、
５０  制御部、
５１  ＣＰＵ、
５２  メモリ、
５３  通信処理部、
５４  音響処理部、
５５  表示処理部、
５７  電源回路、
５８  バッテリ、
７０  充電台、
７１  ケース、
７２  保持部、
７３  給電端子、
７５  第１開口部、
７５ａ  貫通穴、
７６  第２開口部、
７６ａ  貫通穴、
７７  反射板、
７７ａ  第１反射板、
７７ｂ  第２反射板、
１００  携帯充電システム、
【図１】
2010109543.tif 000003
【図２】
2010109543.tif 000004
【図３】
2010109543.tif 000005
【図４】
2010109543.tif 000006
【図５】
2010109543.tif 000007
【図６】
2010109543.tif 000008
【図７】
2010109543.tif 000009